(57)【要約】【課題】大きな外力によって外装部材に変形が生じた場合に、表示パネルの外周部に設けられた駆動回路を保護する。【解決手段】本体２０２と該本体を覆う外装部材１０１ａとの間に表示パネル２０５が配置されている。表示パネルは、表示面よりも外側に設けられた外周部２０５ｄに駆動回路２０５ａを有する。電子機器は、本体に対して固定され、表示パネルを保持するフレーム２０６と、外装部材に形成された表示窓に取り付けられ、表示面を覆う保護板１０７と、本体に対して固定され、フレームよりも外装部材側において外装部材を支持する補強部材２０７とを有する。駆動回路は、外装部材に沿った方向における補強部材の第１の端面２０７ｆと保護板の第２の端面１０７ａとの間に、本体と外装部材との間の方向において第１及び第２の端面に対して重ならないように配置される。【選択図】図１
2010186001.tif 000002
【特許請求の範囲】
【請求項１】
本体と該本体を覆い、表示窓に保護板が取り付けられた外装部材との間に表示パネルが配置された電子機器であって、
前記表示パネルは、その表示面よりも外側に設けられた外周部に駆動回路を有しており、
該電子機器は、
前記本体に対して固定され、前記表示パネルを保持するフレームと、
前記本体に対して固定され、前記表示パネルおよび前記フレームよりも前記外装部材側において前記外装部材を支持する補強部材とを有し、
前記駆動回路は、前記外装部材に沿った方向における前記補強部材の第１の端部と前記保護板の第２の端部との間に、前記本体と前記外装部材との間の方向において前記第１及び第２の端部に対して重ならないように配置されていることを特徴とする電子機器。
【請求項２】
前記フレームは前記表示パネルの前記外周部を覆う部分を有し、該部分における前記駆動回路に対応した領域に開口部が形成されており、
前記駆動回路は、前記外装部材に沿った方向における前記開口部の互いに対向する内端面の間に、前記本体と前記外装部材との間の方向において前記各内端面に対して重ならないように配置されていることを特徴とする請求項１に記載の電子機器。
【請求項３】
表示面よりも外側に設けられた外周部に駆動回路を有する表示パネルと、
前記表示パネルの前記外周部を覆うとともに、前記駆動回路を覆うことなく露出させる開口部が形成されるフレームと、
前記フレームの少なくとも一辺を覆うとともに、前記駆動回路を覆うことなく露出させる補強部材と、
前記表示パネルの前記表示面を覆うとともに、前記駆動回路を覆うことなく露出させる保護板と、
前記補強部材および前記駆動回路を覆う外装部材とを有することを特徴とする電子機器。
【請求項４】
前記補強部材の第１の端部は前記駆動回路の一方の端から所定の逃げ量だけ逃げた位置に設定され、前記保護板の第２の端部は前記駆動回路の他方の端から所定の逃げ量だけ逃げた位置に設定されることを特徴とする請求項３に記載の電子機器。
【請求項５】
前記補強部材は前記外装部材を支持するとともに、前記保護板を支持することを特徴とする請求項３又は４に記載の電子機器。
【発明の詳細な説明】
【技術分野】
【０００１】
本発明は、表示パネルを備えた電子機器に関し、特に該表示パネルの保持構造に関する。
【背景技術】
【０００２】
デジタルカメラや携帯機器等の電子機器には、画像の鑑賞や情報の表示を可能とするために、液晶パネルや有機ＥＬ等の表示パネルが設けられている。そして、電子機器には小型化が求められる一方、表示パネルには大型化が求められている。このため、電子機器の外装部材のサイズに対して大型の表示窓（表示用開口部）を形成する必要がある。これにより 外装部材における表示窓の周辺の剛性が低下し、外力によって外装部材が変形し易くなる。
特許文献１には、表示窓の周辺に加わった外力による表示パネル等の破損を防止するようにした電子機器が開示されている。この電子機器では、表示パネルの外周部と外装部材との間にクッション材を配置し、さらに外装部材の表示窓の一辺に切り欠き部を形成することにより、外力を分散して、外装部材の変形を低減させるというものである。
一方、表示パネルとしては、表示面よりも外側の外周部に、該表示パネルを駆動する駆動回路（表示用駆動回路）が一体的に設けられたものが主流になってきている。
【先行技術文献】
【特許文献】
【０００３】
【特許文献１】特開２００５−１８９５１２号公報
【発明の概要】
【発明が解決しようとする課題】
【０００４】
特許文献１にて開示された電子機器では、外装部材に局所的に大きな外力が加わった際に、クッション材を介して表示パネルの外周部に外力が伝わる可能性がある。また、外装部材における表示窓の端部が表示パネルの外周部に接触する可能性もある。
本発明は、大きな外力によって外装部材に変形が生じた場合でも、表示パネルの外周部に設けられた駆動回路を保護できるようにした表示パネル保持構造を有する電子機器を提供する。
【課題を解決するための手段】
【０００５】
本発明の一側面としての電子機器は、本体と該本体を覆い、表示窓に保護板が取り付けられた外装部材との間に表示パネルが配置されている。表示パネルは、その表示面よりも外側に設けられた外周部に駆動回路を有する。該電子機器は、本体に対して固定され、表示パネルを保持するフレームと、本体に対して固定され、表示パネルおよびフレームよりも外装部材側において外装部材を支持する補強部材とを有する。駆動回路は、外装部材に沿った方向における補強部材の第１の端部と保護板の第２の端部との間に、本体と外装部材との間の方向において第１及び第２の端部に対して重ならないように配置されていることを特徴とする。
また、本発明の他の一側面としての電子機器は、表示面よりも外側に設けられた外周部に駆動回路を有する表示パネルと、表示パネルの該外周部を覆うとともに、駆動回路を覆うことなく露出させる開口部が形成されるフレームと、該フレームの少なくとも一辺を覆うとともに、駆動回路を覆うことなく露出させる補強部材と、表示パネルの表示面を覆うとともに、駆動回路を覆うことなく露出させる保護板と、補強部材および駆動回路を覆う外装部材とを有することを特徴とする。
【発明の効果】
【０００６】
本発明によれば、外装部材における表示窓の周辺に外力が加わった場合の外装部材の変形を補強部材によって抑制することができる。しかも、より大きな外力によって外装部材とともに補強部材や保護板が変形又は変位した場合でも、補強部材や保護板の端部が表示パネルの外周部に設けられた駆動回路を直接押圧することを回避できる。このため、大きな外力に対して駆動回路を保護することができる。
【図面の簡単な説明】
【０００７】
【図１】本発明の実施例であるカメラの表示パネル保持構造の断面図。
【図２】実施例のカメラの背面図。
【図３】実施例における表示パネル保持構成の分解斜視図。
【図４】実施例における表示パネル保持構造の背面図。
【図５】実施例における表示パネル保持構造の斜視図。
【図６】実施例のカメラの斜視図。
【発明を実施するための最良の形態】
【０００８】
以下、本発明の好ましい実施例について図面を参照しながら説明する。
図６には、本発明の実施例であるコンパクトデジタルスチルカメラ（電子機器：以下、単にカメラという）を示している。図６中の上側の図はカメラを前面側斜めから見たときの外観を示しており、下側の図はカメラを背面側斜めから見たときの外観を示している。
この図において、１０１はカメラの外装部材としての筐体であり、１０２は撮影光学系を収容するレンズ鏡筒である。１０３は電源ボタンであり、１０４はレリーズボタンである。１０５は撮影モード等の各種モード設定を行うためのモードレバーである。１０６はフラッシュの発光窓である。
１０７は背面側の筐体１０１に形成された表示窓に取り付けられ、その内側に配置された表示パネルの表示面を覆う透明板としての保護板である。表示パネルには、後述する撮像素子を用いて生成された画像や撮影に関する各種情報が表示され、使用者は保護板１０７を通してそれら画像や情報を見ることができる。
１０８は回動操作及び上下左右において押し込み操作が可能なダイヤルであり、１０９はカメラの各種機能を設定又は選択するための操作ボタンである。
【０００９】
図示はしないが、筐体１０１内には、カメラ全体の動作を制御する制御回路や、撮影光学系により形成された被写体像を光電変換するＣＣＤセンサ等の撮像素子や、及び撮像素子からの出力信号を用いて画像データを生成する画像処理回路が収容されている。また、カメラの動作に必要な電源を供給するバッテリや、画像データを記録する半導体メモリ等の記録媒体が着脱可能に収容されている。さらに、筐体１０１内には、カメラの本体をなし、撮像素子、レンズ鏡筒、ＣＰＵ、表示パネル及びバッテリ収納部等の部品の保持ベースとなるメインフレーム（シャーシともいう）が配置されている。
図３、図４及び図５には、本実施例のカメラにおける表示パネル保持構造を示している。図３には、表示パネル保持構造を分解して示している。図４には、表示パネル保持構造を背面側（表示パネルの表示面側）から見て示している。図５には、表示パネル保持構成を表示面側斜めから見て示している。
２０２は前述したメインフレームであり、２０１はバッテリを収納するバッテリ収納部である。バッテリ収納部２０１は、メインフレーム２０２に形成された穴２０２ａにバッテリ収納部２０１に形成された突起部２０１ａを挿入することでメインフレーム２０２に対して位置決めされる。そして、メインフレーム２０２に形成された穴２０２ｂとバッテリ収納部２０１に形成された穴２０１ｂとにビスが挿入されて締め込まれることで、バッテリ収納部２０１がメインフレーム２０２に固定される。
２０５は表示パネルであり、液晶パネルや有機ＥＬパネル等の表示部２０５ｃと、該表示部２０５ｃを駆動するための駆動回路（表示用駆動回路）２０５ａとを有する。駆動回路２０５ａは、表示部（表示面）２０５ｃよりも外側に設けられた外周部２０５ｄの一部における表示面側の面に実装されている。駆動回路２０５ａは、例えば、低温多結晶シリコントランジスタを用いたドライバーＩＣである。駆動回路２０５ａには、前述したＣＰＵや画像処理回路が実装されたメイン基板に接続されるフレキシブル基板２０５ｂが接続されている。駆動回路２０５ａは、ＣＰＵからの制御信号や画像処理回路からの画像信号に応じて、表示パネル２０５に画像や情報を表示させるように該表示パネル２０５を駆動する。
なお、図示はしないが、表示パネル２０５の裏面側（表示面側とは反対側）には、光源（ＬＥＤ）、光学シート及び導光板等により構成させるバックライト部が配置されている。
２０４はスペーサであり、表示パネル２０５の外周部をメインフレーム２０２側から受ける。スペーサ２０４には、不図示の複数の突起が設けられており、該突起によって表示パネル２０５とスペーサ２０４との間には、上下左右にて適度なクリアランスが設けられる。また、スペーサ２０４は、不図示の複数の突起によって後述する第１のフレーム２０３に対しても適度なクリアランスを保ちつつ、第１のフレーム２０３に取り付けられる。
２０６は第２のフレームである。該第２のフレーム２０６は、表示パネル２０５に対して、該表示パネル２０５の外周部２０５ｄを、筐体１０１のうち後述する背面カバー側（外装部材側）から覆うように配置される。スペーサ２０４に形成された突起部２０４ｂが第２のフレーム２０６に形成された穴２０６ｅに挿入されることで、第２のフレーム２０６がスペーサ２０４に対して位置決めされる。
２０３は第１のフレームである。第２のフレーム２０６に形成された爪２０６ｃが第１のフレーム２０３に形成された係合部２０３ａに係合することで、第２のフレーム２０６は第１のフレーム２０３に結合される。
また、第２のフレーム２０６に形成された穴２０６ａには、メインフレーム２０２に形成された突起部２０２ｃが挿入される。これにより、第２のフレーム２０６がメインフレーム２０２に対して位置決めされる。第２のフレーム２０６における表示パネル２０５の外周部２０５ｄを覆う部分のうち駆動回路２０５ａに対応する領域には、開口部２０６ｄが形成されている。
２０７は補強部材であり、第２のフレーム２０６の一辺を覆うように配置される。この補強部材２０７は、後により詳しく説明するが、表示パネル２０５及び第２のフレーム２０６よりも背面カバー側において背面カバーを支持する。
補強部材２０７に形成された突起部２０７ｂがメインフレーム２０２に形成された穴２０２ｆに挿入されることで、補強部材２０７がメインフレーム２０２に対して位置決めされる。そして、第２のフレーム２０６に形成された穴２０６ｂと補強部材２０７に形成された穴２０７ａとを重ね合わせ、これらの穴２０６ｂ，２０７ａとメインフレーム２０２に形成された締結穴２０２ｄとに不図示のビスを挿入して締め込む。これにより、第２のフレーム２０６と補強部材２０７とがメインフレーム２０２に固定される。このようにして、表示パネル２０５は第１及び第２のフレーム２０３，２０６によって保持されてメインフレーム２０２に固定される。
また、補強部材２０７に形成された脚部２０７ｅは、メインフレーム２０２に形成された受け面２０２ｅに当接する。
ここで、本実施例においては、メインフレーム２０２を剛性の高い金属材料により形成している。ただし、メインフレーム２０２を樹脂材料により形成してもよい。また、ホン実施例では、メインフレーム２０２とバッテリ収納部２０１とを互いに独立した部品として構成しているが、これらを樹脂材料を用いて一体形成してもよい。また、本実施例では、メインフレーム２０２と第１のフレーム２０３と互いに独立した部品として構成しているが、これらを金属材料を用いて一体形成してもよい。さらに、メインフレーム２０２とバッテリ収納部２０１と第１のフレーム２０３を、樹脂材料を用いて一体形成してもよい。
【００１０】
また、本実施例では、補強部材２０７を独立した部品として構成しているが、メインフレーム２０２の一部として形成してもよい。この場合も、メインフレーム２０２における補強部材として機能する部分は、メインフレーム２０２に対して固定された補強部材に相当する。また、補強部材２０７を第２のフレーム２０３に溶接することで、両者を一体の部品として構成してもよい。この場合の補強部材として機能する部分も、第２のフレーム２０３がメインフレーム２０２に固定されるため、メインフレーム２０２に対して固定された補強部材に相当する。
図２には、カメラの背面の外観を示している。図１には、図２におけるＡ−Ａ線でカメラを切断した場合の表示パネル保持構造の断面の一部を示している。該Ａ−Ａ線は、図４に示したＡ−Ａ線に対応する。
筐体１０１は、前面カバーと背面カバーとで構成されており、１０１ａは背面カバーである。背面カバー１０１ａは、メインフレーム２０２及びその背面側に保持された表示パネル２０５等の部品を覆うように配置され、メインフレーム２０２にビスにより固定されている。このように、表示パネル２０５は、図１に示すように、メインフレーム２０２と背面カバー１０１ａとの間に配置されている。
背面カバー１０１ａに形成された開口部としての表示窓１０１ｂには、前述した保護板１０７が取り付けられている。具体的には、保護板１０７における表示パネル２０５の表示部（表示面）２０５ｃを覆う窓部よりも外側のフランジ部１０７ｃが背面カバー１０１ａにおける表示窓１０１ｂの周囲部分の裏面１０１ｃに両面テープ又は接着剤によって貼り付けられている。保護板１０７の窓部と外周部との間には段差部１０７ｂが形成されており、該段差部１０７ｂが背面カバー１０１ａにおける表示窓１０１ｂの内周面に嵌り込むことで、保護板１０７が背面カバー１０１ａに対して位置決めされている。
【００１１】
補強部材２０７は、メインフレーム２０２から背面カバー１０１ａに向かって延びる脚部２０７ｅを有する。前述したように、脚部２０７ｅにおけるメインフレーム２０２側の端部は、メインフレーム２０２の受け面２０２ｅに当接している。
また、補強部材２０７は、脚部２０７ｅにおける背面カバー１０１ａ側の端部から、背面カバー１０１ａに沿って保護板１０７のフランジ部１０７ｃの端部（第２の端部）１０７ａに向かって延びる受け部（外装支持部）２０７ｄを有する。受け部２０７ｄは、背面カバー１０１ａの裏面に当接して、表示パネル２０５及び第２のフレーム２０６よりも背面カバー１０１ａ側において該背面カバー１０１ａを支持している。
受け部２０７ｄにおける背面カバー１０１ａに沿った方向（図１における左右方向）での端部（第１の端部）２０７ｆは、保護板１０７のフランジ部１０７ｃの上記端部１０７ａに対向している。図１には、受け部２０７ｄを、補強部材２０７の材料である金属板を脚部２０７ｅに対して曲げ加工することで形成された場合を示している。該曲げ加工を行い易くするために、本実施例では、図５にＢで示す切り欠きを補強部材２０７に形成している。
また、図３に示すように、補強部材２０７には、受け部２０７ｄの長手方向（表示パネル２０５の短辺方向）の両側から該長手方向に対して直角に延びるように２つの受け部２０７ｃが形成されている。これら受け部２０７ｃは、保護板１０７のフランジ部１０７ｃの裏面１０７ｄに当接して、該保護板１０７を支持する。
ここで、上述した背面カバー１０１ａに沿った方向を第１の方向とする。また、メインフレーム２０２と背面カバー１０１ａとの間の方向（図１における上下方向であって、カメラの厚み方向又はメインフレーム２０２、表示パネル２０５、フレーム２０３，２０６及び背面カバー１０１ａ等が重なっている方向）を第２の方向とする。
図１に示すように、表示パネル２０５の外周部２０５ｄに設けられた駆動回路２０５ａは、第１の方向における補強部材２０７（受け部２０７ｄ）の端部２０７ｆと保護板１０７（フランジ部１０７ｃ）の端部１０７ａとの間に配置されている。しかも、駆動回路２０５ａは、第２の方向において上記端部２０７ｆ，１０７ａに対して重ならないように配置されている。言い換えれば、第２の方向視において、駆動回路２０５ａの第１の方向での両端面が、端部２０７ｆ，１０７ａよりも内側に位置する。
すなわち、図１において、第１の方向における駆動回路２０５ａの補強部材２０７側（図中の右側）の端面（一方の端）と補強部材２０７の端部２０７ｆとの間には、所定の逃げ量Ｙが設定されている。したがって、補強部材２０７は駆動回路２０５ａを覆うことなく露出させている。また、第１の方向における駆動回路２０５ａの保護板１０７側（図中の左側）の端面（他方の端）と保護板１０７の端部１０７ａとの間には、所定の逃げ量Ｘが設定されている。したがって、保護板１０７は駆動回路２０５ａを覆うことなく露出させている。
さらに前述したように、第２のフレーム２０６には、駆動回路２０５ａに対応する領域に開口部２０６ｄが形成されている。そして、駆動回路２０５ａは、第１の方向において開口部２０６ｄの互いに対向する内端面２０６ｇの間に、第２の方向において該各内端面２０６ｇに対して重ならないように配置されている。なお、第１の方向における各内端面２０６ｇの駆動回路２０５ａの端面に対する逃げ量は、補強部材２０７及び保護板１０７の端部２０７ｆ，１０７ａの逃げ量Ｘ，Ｙよりも大きい。
このように構成された表示パネル保持構造では、図１に示すように背面カバー１０１ａに局所的に加わる外力Ｐに対して、以下のように強度が確保されている。
外力Ｐが小さい場合は、背面カバー１０１ａと保護板１０７自体の剛性によって表示パネル２０５へ外力Ｐの伝達が抑えられる。
外力Ｐがこれよりも大きい場合は、外力Ｐは、背面カバー１０１ａと補強部材２０７の受け部２０７ｄとを介してメインフレーム２０２に伝わる成分と、保護板１０７と補強部材２０７の受け部２０７ｃとを介してメインフレーム２０２に伝わる成分とに分散する。
外力Ｐがさらに大きい場合は、背面カバー１０１ａが撓む（変形する）とともに、補強部材２０７の受け部２０７ｄや保護板１０７のフランジ部１０７ｃが表示パネル２０５（外周部２０５ｄ）に近づく。しかし、上述したように逃げ量Ｘ，Ｙが設けられているため、補強部材２０７の受け部２０７ｄ（端部２０７ｆ）や保護板１０７のフランジ部１０７ｃ（端部１０７ａ）が駆動回路２０５ａを直接押圧することはない。したがって、駆動回路２０５ａの破損を回避することができる。
また、第２のフレーム２０６に開口部２０６ｄを設け、該開口部２０６ｄの内端面２０６ｇにも上述した逃げ量を設けたことで、補強部材２０７により押された第２のフレーム２０６が駆動回路２０５ａ側に変形し、駆動回路２０５ａを押圧することを回避できる。
【００１２】
なお、本実施例では、補強部材２０７に、受け部２０７ｄのように背面カバー１０１ａに沿って延びる部分を形成した場合について説明した。しかし、背面カバー１０１ａに沿って延びる部分を設けずに、脚部２０７ｅに相当する部分を背面カバー１０１ｃに当接させてもよい。この場合、脚部２０７ｅに相当する部分における駆動回路２０５ａ側の端面が第１の端部に相当する。
また、本実施例では、補強部材２０７を金属板を曲げ加工することで製作する場合について説明したが、金属板の絞り加工等、他の加工方法で製作してもよい。
また、本実施例では、コンパクトデジタルスチルカメラの表示パネル保持構造について説明したが、本発明は、一眼レフカメラ、ビデオカメラ等の種々の撮像装置にも適用することができる。さらに、本発明は、撮像装置だけでなく、表示パネルを備えた様々な電子機器にも適用することができる。
以上説明した各実施例は代表的な例にすぎず、本発明の実施に際しては、各実施例に対して種々の変形や変更が可能である。
【符号の説明】
【００１３】
１０１  筐体
１０１ａ  背面カバー
１０２  レンズ鏡筒
１０７  保護板
１０７ａ  端部
２０１  バッテリ収納部
２０２  メインフレーム
２０３  第１のフレーム
２０４  スペーサ
２０５  表示パネル
２０５ａ  駆動回路
２０５ｃ  表示部
２０６  第２のフレーム
２０６ｄ  開口部
２０７  補強部材
２０７ｆ  端部
【図１】
2010186001.tif 000003
【図２】
2010186001.tif 000004
【図３】
2010186001.tif 000005
【図４】
2010186001.tif 000006
【図５】
2010186001.tif 000007
【図６】
2010186001.tif 000008